(57)【特許請求の範囲】
【請求項１】
遊技場の島設備に固定される機枠と、前記機枠に着脱自在に取り付けられた、遊技盤を保持する本体枠と、前記本体枠の下側に配置され、前記機枠に着脱自在に取り付けられた幕板と、前記本体枠と前記幕板とを一体化する一体化手段と、を備え、
前記本体枠は、前記機枠に第１ヒンジ機構を介して取り付けられ、
前記幕板は、前記機枠に第２ヒンジ機構を介して取り付けられ、
前記一体化手段は、前記本体枠と前記幕板の裏面側に設けられ、前記本体枠を前記幕板と固定する第１状態と、その固定を解除する第２状態とに選択的に切替え可能な固定化手段と、前記本体枠と前記幕板との間に設けられた第３ヒンジ機構と、から構成され、
前記第１ヒンジ機構は、前記本体枠と前記機枠の一方に設けられた第１穴軸受けと、他方に設けられ、前記第１穴軸受けに嵌合する第１軸部材と、から構成され、
前記第２ヒンジ機構は、前記幕板と前記機枠の一方に設けられた第２穴軸受けと、他方に設けられ、前記第２穴軸受けに嵌合する第２軸部材と、とから構成され、
前記第３ヒンジ機構は、前記本体枠と前記幕板の一方に設けられた第３穴軸受けと、他方に設けられ、前記第３穴軸受けと嵌合する第３軸部材と、から構成され、
前記第１軸部材と、前記第２軸部材と、前記第３軸部材とは、互いに同軸上に配置されており、
前記本体枠は、前記固定化手段が前記第２状態に切り替えられることにより前記幕板から別体となり、前記第１ヒンジ機構と前記第３ヒンジ機構とにより支持されて、前記幕板を前記機枠に固定した状態で前記機枠に対して開閉自在とされ、
前記本体枠は、前記固定化手段が前記第１状態に切り替えられることにより前記幕板と一体となり、当該幕板と一体化させた状態で前記機枠に対して取り外し可能、かつ、前記第１ヒンジ機構と前記第２ヒンジ機構とにより支持されて、前記機枠に対して開閉自在とされていることを特徴とするパチンコ機。
【請求項２】
請求項１において、
前記固定化手段は、前記幕板を前記機枠に固定する第３状態を有して選択的に切り替え可能とされており、前記第３状態が選択される場合には、前記幕板は、前記本体枠が前記機枠に対し閉鎖された状態では、開閉が不可能とされることを特徴とするパチンコ機。
【請求項３】
請求項１または２において、
前記第３軸部材の先端部には、前記第３軸部材の軸心と直交する方向に延在する軸先部が形成され、
前記第３穴軸受けには、前記軸先部を挿入可能な嵌合穴が形成され、
前記本体枠と前記幕板とが前記機枠に対して同じ回動位置にある状態では、前記嵌合穴を貫通した前記軸先部によって、前記本体枠は、前記第３軸部材の軸方向への移動が阻止され、
前記本体枠が前記幕板に対して所定角度開かれた状態では、前記軸先部が前記嵌合穴から開放されることにより、前記本体枠は、前記第３軸部材の軸方向へ移動して前記幕板から取外しが可能となることを特徴とするパチンコ機。
【発明の詳細な説明】
【技術分野】
【０００１】
本発明は、パチンコ店等の遊技場に設置して使用されるパチンコ機に関する。
【背景技術】
【０００２】
図１７に示すように、一般に、パチンコ機Ｐは、遊技場の島設備に設置される縦長方形状の機枠１と、該機枠１に扉状に開閉自在に取り付けられた本体枠２と、該本体枠２の前面に扉状に開閉自在に取り付けられたガラス扉（前面扉）４を備えており、該ガラス扉４には、その開口部８にガラスやプラスチック等からなる透明板９が取り付けられている。
【０００３】
この本体枠２には遊技盤３が取り付けられており、この遊技盤３の表側（つまり、ガラス扉４側）には、各種入賞口、入賞球装置および障害釘（いづれも図示せず）などが配置された遊技領域が設けられ、この遊技盤３の裏側には各種制御基板（図示せず）等が取り付けられている。
遊技盤の下方に設置された発射装置（図示せず）から打ち出された遊技球は、該遊技領域を流下するように構成されており、遊技者は、ガラス扉４に取り付けられた透明板９を通して、この遊技領域を観察することができる。
【０００４】
また、この本体枠２の下部には、遊技球の発射強度を調整する発射ハンドル１０や、遊技者の手前側に膨出した下皿１１が備えられている。そして、この発射ハンドル１０や下皿１１の下方には、大量に払い出された遊技球を貯留する大箱を載置するための空間が形成されている。
そして、この空間を確保する等のために、本体枠２に隣接した下方に、幕板２０が設けられている。
この幕板２０は、必要に応じて演出用の音響装置等が配置されており、従来、機枠１に取り外しができない状態で取り付けられていた。しかし、それでは、本体枠２の仕様が異なった場合に本体枠２を取り替えるには、機枠１と一体に交換する必要があり、リサイクル性に欠けることとなる。そこで、この幕板２０を機枠１に対し開閉可能かつ、取り外し可能に構成することで、幕板２０に配置された機器等のメンテナンスの利便性やリサイクル性の向上が図られている。
【０００５】
このように幕板２０が機枠１に対し開閉可能、かつ取り外し可能に構成される場合、遊技場においてパチンコ機Ｐを取り替えるには、遊技盤が搭載されている本体枠２を取り替える必要があるが、本体枠２を取り替えるには２通りの方法がある。つまり、本体枠２が取り付けられた機枠１をそっくり島設備から取り外すか、或いは、機枠１がそのまま再使用できる場合は、島設備に機枠１を残して本体枠２の取り外しを行う。
そして、このように機枠１を再使用する場合に、新たに取り付ける本体枠２の外形寸法等が取り外す本体枠２と同じ場合には、幕板２０は、そのまま機枠１に残されて再使用される。しかし、新たに取り付ける本体枠２の外形寸法や、幕板２０に収納されている音響装置などの電子部品の仕様等が異なる場合には、幕板２０は、再使用ができないので、機枠１からの取り外しが必要になる。
そこで、この幕板２０を、機枠１に対し開閉可能に支持するとともに、本体枠２が機枠１に対し開放（開扉）される場合に、機枠１側に待機可能に構成し、幕板２０を取り外す場合には、本体枠２を開放しなければ取り外すことができないように構成することが提案されている。（特許文献１参照）
しかしながら、本体枠２や幕板２０を取り外す場合に、幕板２０のこのような再使用または不使用に関係させた上で、本体枠２や幕板２０の取り外し作業を簡便にすることは、これまで考慮されてこなかった。
【先行技術文献】
【特許文献】
【０００６】
【特許文献１】特開２００９−１５３７７９号公報
【発明の概要】
【発明が解決しようとする課題】
【０００７】
本発明は、上記した実情に鑑みてなされたものであり、その目的は、パチンコ機を取り替える際に、取り替え作業が容易であり、かつ省資源となるパチンコ機を提供することである。
【課題を解決するための手段】
【０００８】
上記目的を達成するため、本発明に係るパチンコ機は、遊技場の島設備に固定される機枠と、前記機枠に着脱自在に取り付けられた、遊技盤を保持する本体枠と、前記本体枠の下側に配置され、前記機枠に着脱自在に取り付けられた幕板と、前記本体枠と前記幕板とを一体化する一体化手段と、を備える。さらに、前記本体枠は、前記機枠に第１ヒンジ機構を介して取り付けられ、前記幕板は、前記機枠に第２ヒンジ機構を介して取り付けられ、前記一体化手段は、前記本体枠と前記幕板の裏面側に設けられ、前記本体枠を前記幕板と固定する第１状態と、その固定を解除する第２状態とに選択的に切替え可能な固定化手段と、前記本体枠と前記幕板との間に設けられた第３ヒンジ機構と、から構成され、前記第１ヒンジ機構は、前記本体枠と前記機枠の一方に設けられた第１穴軸受けと、他方に設けられ、前記第１穴軸受けに嵌合する第１軸部材と、から構成され、前記第２ヒンジ機構は、前記幕板と前記機枠の一方に設けられた第２穴軸受けと、他方に設けられ、前記第２穴軸受けに嵌合する第２軸部材と、とから構成され、前記第３ヒンジ機構は、前記本体枠と前記幕板の一方に設けられた第３穴軸受けと、他方に設けられ、前記第３穴軸受けと嵌合する第３軸部材と、から構成され、前記第１軸部材と、前記第２軸部材と、前記第３軸部材とは、互いに同軸上に配置されており、前記本体枠は、前記固定化手段が前記第２状態に切り替えられることにより前記幕板から別体となり、前記第１ヒンジ機構と前記第３ヒンジ機構とにより支持されて、前記幕板を前記機枠に固定した状態で前記機枠に対して開閉自在とされ、前記本体枠は、前記固定化手段が前記第１状態に切り替えられることにより前記幕板と一体となり、当該幕板と一体化させた状態で前記機枠に対して取り外し可能、かつ、前記第１ヒンジ機構と前記第２ヒンジ機構とにより支持されて、前記機枠に対して開閉自在とされていることを特徴としている。
【０００９】
このように構成したことにより、本発明は、パチンコ機の取り替え作業において、幕板を再使用しない場合には、一体化手段を使用して本体枠と幕板とを一体にして一緒に取り替えることができるので、特に幕板と本体枠とが電気配線で結合されている場合などでは、幕板に設けられた音響機器等への電気配線を取り外す必要がなく、取り替え作業を容易に行うことができる。
また、幕板の再使用のために幕板を機枠に残して本体枠のみを取り外す取り替え作業の場合には、一体化手段を使用しないことも容易に選択できるので、その取り替え作業を容易に行うことができる。
また、幕板を機枠内に残すことが可能なので、幕板の再使用も可能となり、省資源となる。
このように、入れ替えを行う本体枠の外形寸法や幕板の再使用の可否、幕板への電気配線の状況等に応じて、より簡便な取り替え作業を容易に選択することができる。
しかも、遊技場の管理者等が遊技盤の裏側をメンテナンス等作業する場合には、従来と同様、幕板を機枠側に閉鎖したまま本体枠のみを開閉することができるので、その作業を容易に行うことができる。
【００１１】
このように構成したことにより、本発明は、一体化手段を、ヒンジ機構からなる固定化手段という比較的簡単な構成によって構成することができる。しかも、新たに取り付ける本体枠の外形形状等の状況に合わせて取り替え作業の切替を行うに際し、一体化手段を操作することで、容易に切替を行うことが可能となる。
【００１２】
また、上記目的を達成するため、本発明は、前記固定化手段は、前記幕板を前記機枠に固定する第３状態を有して選択的に切り替え可能とされており、前記第３状態が選択される場合には、前記幕板は、前記本体枠が前記機枠に対し閉鎖された状態では、開閉が不可能とされることを特徴としている。
【００１３】
このように構成したことにより、本発明は、前記本体枠が機枠に対し施錠（閉鎖）されている状態では、第３状態を選択することにより幕板を機枠に固定されたままとすることが可能なので、この施錠が開放されない限りは幕板を開放することができない。したがって、幕板の開放を制限することが可能なので、外から施錠する施錠手段が幕板に無くとも幕板の開放に対するセキュリティーを確保することができる。
【００１４】
また、上記目的を達成するため、本発明は、前記第３軸部材の先端部には、前記第３軸部材の軸心と直交する方向に延在する軸先部が形成され、
前記第３穴軸受けには、前記軸先部を挿入可能な嵌合穴が形成され、
前記本体枠と前記幕板とが前記機枠に対して同じ回動位置にある状態では、前記嵌合穴を貫通した前記軸先部によって、前記本体枠は、前記第３軸部材の軸方向への移動が阻止され、
前記本体枠が前記幕板に対して所定角度開かれた状態では、前記軸先部が前記嵌合穴から開放されることにより、前記本体枠は、前記第３軸部材の軸方向へ移動して前記幕板から取外しが可能となることを特徴としている。
【００１５】
このように構成したことにより、本発明は、取り替えるパチンコ機の本体枠の外形形状等の状況に合わせて取り替え作業の切り替えを行うに際し、本体枠および幕板を機枠に対し同じ所定角度開扉した位置とすることにより、一体化手段の切り替え作業を容易に行うことが可能となる。つまり、そのような切り替え作業を、本体枠と幕板の開閉作業に関連付けることにより、極めて容易に行うことができる。
【００１６】
このように、本発明によれば、パチンコ機を取り替える際に、取り替え作業が容易になり、しかも、省資源となるパチンコ機を提供することができる。
【図面の簡単な説明】
【００１７】
【図１】本発明の実施の形態例に係るパチンコ機の正面上方からの斜視図。
【図２】本発明の実施の形態例に係るパチンコ機の、図１から本体枠を開いた状態の説明図。
【図３】本発明の実施の形態例に係るパチンコ機の、図２から幕板を開いて幕板と本体枠とを一体化した状態の説明図。
【図４】本発明の実施の形態例に係るパチンコ機の、図３から幕板と一体化した本体枠を取り外した状態の説明図。
【図５】本発明の実施の形態例に係るパチンコ機の、幕板に電子機器が存在する場合の本体枠を開いた状態の説明図。
【図６】本発明の実施の形態例に係るパチンコ機の、図５から幕板と本体枠とを一体化した状態の説明図。
【図７】本発明の実施の形態例に係るパチンコ機の、本体枠が閉じられた状態での第３ヒンジ機構の下方からの斜視図。
【図８】本発明の実施の形態例に係るパチンコ機の、図７から本体枠が開かれた状態での第３ヒンジ機構の下方からの斜視図。
【図９】本発明の実施の形態例に係るパチンコ機の、図８から本体枠を取り外した状態での第３ヒンジ機構の下方からの斜視図。
【図１０】本発明の実施の形態例に係るパチンコ機の、本体枠が開かれて幕板と一体化した状態での第３ヒンジ機構の下方からの斜視図。
【図１１】本発明の実施の形態例に係るパチンコ機の、固定化手段の第３状態を説明する遊技機内方からの斜視図。
【図１２】本発明の実施の形態例に係るパチンコ機の、機枠側に設けられた機枠側係合ピンの前方からの斜視図。
【図１３】本発明の実施の形態例に係るパチンコ機の、幕板に設けられた掛けがねを遊技機内方からの斜視図。
【図１４】本発明の実施の形態例に係るパチンコ機の、固定化手段の第２状態を説明する遊技機内方からの斜視図。
【図１５】本発明の実施の形態例に係るパチンコ機の、固定化手段の第１状態を説明する遊技機内方からの斜視図。
【図１６】本発明の実施の形態例に係るパチンコ機の、第１ヒンジ機構を説明するための機枠上方からの斜視図。
【図１７】従来例におけるパチンコ機の説明図。
【発明を実施するための形態】
【００１８】
以下、本発明の実施の形態例を、図面を参照して説明する。
図１に示すように、本発明の実施の形態例に係るパチンコ機Ｐは、遊技場の島設備に設置される縦長方形状の機枠１と、機枠１に扉状に開閉自在に取り付けられた本体枠２と、本体枠２の内側に収容された遊技盤３（図１には、図示せず。）と、本体枠２の前面に扉状に開閉自在に取り付けられ、中央に大きく開口部８が形成されたガラス扉（前面扉）４と、このガラス扉４の該開口部８に取り付けられた透明なガラス板９等を具備している。
また、ガラス扉４および本体枠２を施錠あるいは解錠するための鍵口４０が、ガラス扉４の正面側（遊技者側）に設けられている。さらに本体枠２の下部には、遊技球の発射強度を調整する発射ハンドル１０や、遊技者の手前側に膨出した下皿１１が備えられている。そして、この発射ハンドル１０や下皿１１の下方には、大量に払い出された遊技球を貯留する大箱を載置するための空間が形成されている。
本体枠２の下方には、この空間を確保する等のために、幕板２０が、機枠１に対し扉状に開閉自在に取り付けられている。この幕板２０には、ゲーム演出用の音響機器等が配置されている。
これら機枠１、本体枠２、遊技盤３、ガラス扉（前面扉）４、ガラス板９、ハンドル１０、幕板２０等のパチンコ機全体での配置構造は、従来例と同様である。
【００１９】
さらに、図１及び１６に示すように、機枠１に対して本体枠２を開閉自在に支持するために、機枠１の左側上端には、機枠１から遊技盤面に対し垂直方向に張り出した機枠上端側フランジ２１に第１穴軸受け２１ａが設けられている。一方、本体枠２の左側上端には、前記機枠上端側フランジ２１と平行になるように張り出した本体枠上端側フランジ２２が設けられ、該本体枠上端側フランジ２２に第１軸部材２２ａが立設されている。そして、機枠側の該第１穴軸受け２１ａに本体枠側の該第１軸部材２２ａが嵌合することで、機枠１上部に対し本体枠２上部を回動可能に支持する第１ヒンジ機構が構成されている。
また、機枠上端側フランジ２１には、一方が第１穴軸受け２１ａに連続するとともに、他方が機枠上端側フランジ２１の側方に開放するスライド溝２１ｂが形成されており、さらに、このスライド溝２１ｂを第１穴軸受け２１ａから隔離するための開放レバー２１ｃが、機枠上端側フランジ２１に設けられている。
該開放レバー２１ｃは、第１穴軸受け２１ａから離れた位置に形成される支点２１ｃ’を中心として、機枠上端側フランジ２１と平行して回動するように取り付けられている。そして、本体枠２が機枠１に閉鎖して取り付けられている図１に示す状態においては、開放レバー２１ｃの一端に設けられた操作部２１ｃ’’は、機枠１に設けられた空間部２１ｄ内に収納されており（図１６（Ａ）のＲ方向に回動させた状態）、その操作部２１ｃ’’とは支点２１ｃ’を隔てて反対側に形成されている先端部２１ｃ’’’は、スライド溝２１ｂに進入して、第１穴軸受け２１ａをスライド溝２１ｂから隔離するように構成されている。このため、この状態では、第１穴軸受け２１ａに嵌合している第１軸部材２２ａは、該第１穴軸受け２１ａを回動支点として回動することが保証される。
この状態から操作部２１ｃ’’を引っ張り出すと（図１６（Ａ）のＦに示す方向に回動させて、図１６（Ａ）に示す開放レバー２１ｃの状態とすると）、開放レバー２１ｃの先端部２１ｃ’’’がスライド溝２１ｂから退避して、第１穴軸受け２１ａはスライド溝２１ｂと連続することとなり、第１穴軸受け２１ａ内に嵌合している第１軸部材２２ａの開放が可能となる。
【００２０】
また、図１〜図５に示すように、機枠１に幕板２０を開閉自在に支持するために、機枠１の左側下端には、機枠１から遊技盤面に対し垂直方向に張り出した機枠下端側フランジ２３に第２軸部材２３ａが立設されている。一方、幕板２０の左側下端には、前記機枠下端側フランジ２３と平行になるように張り出した幕板下端側フランジ２４が設けられ、該幕板下端側フランジ２４に第２穴軸受け２４ａが設けられている。そして、機枠側の該第２軸部材２３ａが幕板２０の第２穴軸受けに嵌合することで、機枠１に対し幕板２０を回動可能に支持する第２ヒンジ機構が構成されている。
【００２１】
さらに、本体枠２と幕板２０との間には、それらを互いに回動自在にすると共に、それらを一体化するための第３ヒンジ機構が形成されている。
図１および図７〜１０に示すように、本体枠２の左側下端には、前記本体枠上端側フランジ２２に対し平行に張り出した本体枠下端側フランジ２６が設けられ、一方、幕板２０の左側上端には、前記幕板下端側フランジ２４に対し平行に張り出した幕板上端側フランジ２５が設けられている。また、該前記本体枠下端側フランジ２６には第３軸部材２６ａが立設され、幕板上端側フランジ２５には第３穴軸受け２５ａが設けられている。そして、幕板２０の該第３穴軸受け２５ａに本体枠２の第３軸部材２６ａが嵌合することで、幕板２０と本体枠２とを回動可能に支持する第３ヒンジ機構が構成されている。
そして、これら第１ヒンジ機構における第１軸部材、第２ヒンジ機構における第２軸部材、および第３ヒンジ機構における第３軸部材が、互いに同軸上に配置されている。したがって、本体枠２及び幕板２０は、この共通した同軸を有して、機枠１に対し開閉自在（回動自在）とされている。
【００２２】
また、前記した第３ヒンジ機構において、その本体枠２側の第３軸部材２６ａの先端部には、該第３軸部材２６ａの軸心と直交する方向に延在する軸先部２６ｂが形成されており、幕板２０側の第３穴軸受け２５ａには、該軸先部２６ｂを挿入可能な嵌合穴２５ｂが形成されている。
この軸先部２６ｂは、本体枠下端側フランジ２６に平行であって本体枠２に対して略平行に延びる部材形状とされており、その投影形状（本体枠下端側フランジ２６面に垂直な方向から見た投影形状）は、前記穴軸受け２５ａに連続して形成された嵌合穴２５ｂの形状と略同一とされている。つまり、該軸先部２６ｂは、該嵌合穴２５ｂに丁度陥入、貫通することができる形状とされている。そして、軸先部２６ｂと、それが立設されている本体枠下端側フランジ２６との間隔は、その間隔内に幕板上端側フランジ２５が丁度挟まるように設定されている。
したがって、図７および図１０に示すように、前記本体枠２と前記幕板２０とが前記機枠１に対して同じ回動位置にある状態では、前記嵌合穴２５ｂを貫通した前記軸先部２６ｂによって、前記本体枠２は、前記第３軸部材２６ａの軸方向への移動が阻止される。
一方、図８に示すように、前記本体枠２が前記幕板２０に対して所定角度開かれた状態では、前記軸先部２６ｂが前記嵌合穴２５ｂから開放されることにより、前記本体枠２は、図９に示すように、前記第３軸部材２６ａの軸方向へ移動し、前記幕板２０からの取外しが可能となる。
【００２３】
このように、本体枠２および幕板２０は、機枠１の上端側と本体枠の上端側との間に設けられた第１ヒンジ機構と、機枠１の下端側と幕板２０の下端側との間に設けられたに第２ヒンジ機構、および本体枠２の下端側と幕板２０の上端側との間に設けられた第３ヒンジ機構により、いずれも機枠１に対して同軸で開閉可能とされている。
【００２４】
さらに、本発明では、本体枠２と幕板２０とを固定あるいは解除するための一体化手段として、上記した本体枠２と幕板２０との間の第３ヒンジ機構とは別に、これら本体枠２と幕板２０とを固定あるいは解除するための固定化手段３０が設けられている。
この固定化手段３０は、遊技盤を正面から見て、上記第３ヒンジ機構が設けられた遊技機左側ではなく、図３又は図６に示すように、遊技機の右側であって、本体枠２と幕板２０のそれぞれ遊技者から見て裏面側に設けられている。
そして、この遊技機右側に設けられた固定化手段と、遊技機左側に設けられた前述の第３ヒンジ機構とによって、本体枠２と幕板２０とを選択的に一体化する一体化手段が構成されている。
【００２５】
この固定化手段３０について具体的に説明する。
図１３に示すように、幕板２０の裏面に掛けがね３１が設けられており、この掛けがね３１は、基端部に、掛けがね３１を幕板２０に平行に回動させる回動支点３１ｂを有し、先端部に、その側面に凹状に形成された引っかけ部３１ａを有している。そして、回動支点３１ｂを中心にして幕板２０に平行に回動させることにより、先端に設けられた引っかけ部３１ａが、機枠側係合ピン（機枠側係合部材）３２または本体枠側係合ピン（本体枠側係合部材）３３と、選択的に係合することができるように構成されている。
【００２６】
一方、機枠側係合ピン３２は、図１１ないし図１５に示すように、機枠１の右下隅に固定された機枠側係合ピン取付部材３２ａに、幕板２０側へ突出するように立設されており、その機枠側係合ピン３２の先端には、掛けがね３１の引っかけ部３１ａが係合しても該機枠側係合ピン３２の軸方向に外れないようにフランジ３２ｂが設けられている。また、本体枠側係合ピン３３は、本体枠２の裏側に立設されており、その先端には、機枠側係合ピン３２と同様に、掛けがね３１の引っかけ部３１ａが係合しても本体枠側係合ピン３３の軸方向に外れないようにフランジ３３ａが設けられている。そして、機枠側係合ピン３２および本体枠側係合ピン３３は、いずれも、引っかけ部３１ａの回動する軌跡上の所定位置となるように設けられている。
したがって、該固定化手段３０は、幕板２０を本体枠２に固定する第１状態と、その固定を解除する第２状態、或いは幕板２０を機枠１に固定する第３状態とに、選択的に切替え可能な構成とされている。
【００２７】
以下、パチンコ機Ｐを取り替えるために、本体枠２および幕板２０を機枠１から取り外す手順を説明する。
まず、本体枠２を機枠１から取り外す手順について説明する。
本体枠２が機枠１に鍵口４０の機構によって施錠されている通常の状態では、図７に示すように、第３ヒンジ機構によって、幕板上端側フランジ２５が該本体枠下端側フランジ２６とそこに立設されている軸先部２６ｂとによって挟持され、連結されている。また、固定化手段３０は、掛けがね３１が機枠側係合ピン３２と係合されており、幕板２０が機枠１に固定されている状態（第３状態）とされている。したがって、この状態では、幕板２０も機枠１から開放することができない。
【００２８】
ここで、鍵口４０に鍵を挿入して本体枠２の施錠を解錠すると、本体枠２は、前記した第１ヒンジ機構および第３ヒンジ機構によって支持されながら回動（開扉）させることができる状態となる。
そこで、本体枠２を機枠１に対し略直角な状態になるまで開扉させると、幕板上端側フランジ２５と本体枠下端側フランジ２６とは、図８に示すように、幕板上端側フランジ２５に設けられた前記第３穴軸受け２５ａの嵌合穴２５ｂから、本体枠下端側フランジ２６に立設された第３軸部材２６ａ、およびその軸先部２６ｂを引き抜くことが可能な位置関係となる。
したがって、この状態から開放レバー２１ｃを図１６のＦ方向に引き出して回動させると、第１穴軸受け２１ａ内に嵌合していた第１軸部材２２ａの開放が可能となるので、本体枠２の第１軸部材２２ａがスライド溝２１ｂ内をスライドして機枠上端側フランジ２１からはずれるように、本体枠２の上部をスライドさせる。これにより、図１６（Ｂ）に示すように、第１軸部材２２ａが第１穴軸受け２１ａから解放される。次に、本体枠２を上方に持ち上げると、第３軸部材２６ａと第３穴軸受け２５ａとの係合が外れ、図９に示すように、幕板２０を機枠１に残したまま、本体枠２のみを機枠１から取り外すことができる。
【００２９】
次に、パチンコ機Ｐを取り替えるために、本体枠２と幕板２０とを一体にして機枠１から取り外す手順を説明する。
本体枠２を機枠１に対し開扉するまでの手順（つまり、図２までの手順）は上記と同じである。
図２に示す状態においては、幕板２０は、掛けがね３１によって機枠１側に固定されており、固定化手段３０は第３状態とされている。つまり、図１１に示すように、掛けがね３１の引っかけ部３１ａは、機枠側係合ピン３２に引っかけられている。
この図２および図１１に示す状態から、幕板２０を開扉すべく、先ず固定化手段３０を第２状態とする。つまり、図１４に示すように、掛けがね３１を回動させてその引っかけ部３１ａを機枠側係合ピン３２から外す。
次に、幕板２０を本体枠２に平行になるまで開扉させ、図１５に示すように、掛けがね３１の引っかけ部３１ａを本体枠側係合ピン３３に係合させる（固定化手段３０を第１状態とする。）。このように固定化手段３０を第１状態に係合させた状態を、図３に示す。
また、この幕板２０を本体枠２に平行になるまで開扉させた状態では、本体枠２と幕板２０との間の第３ヒンジ機構は、図１０に示すように、幕板上端側フランジ２５が該本体枠下側フランジ２６とその第３軸部材２６ｂとによって挟持・固定されて、幕板上端側フランジ２５と本体枠下端側フランジ２６とが連結されている状態となっている。
つまり、幕板２０と本体枠２とは、このように一体化手段（固定化手段および第３ヒンジ機構）によって、その左右がそれぞれ一体化されているので、この状態から、上記と同様に開放レバー２１ｃを回動させて第１ヒンジ機構の係合を解除した後、図４に示すように、幕板２０と本体枠２とを一体にして持ち上げることで、機枠１から容易に取り外すことができる。
【００３０】
ここで、図５に示すように、幕板２０に音響機器２０ａ等が組み込まれて、その電気配線２０ｂ等が本体枠２に設けられている制御基板等と結合されている場合であって、幕板２０も機枠１から取り外す必要がある場合には、上記した一体化手段を用いて、図６に示すように、本体枠２と幕板２０とを一体化することで、従来のようにそのような電気配線を取り外したり、或いは作業途中で切断したりすることなく、取り外すことができる。
【００３１】
なお、本発明は上述した実施形態例に限定されることはなく、特許請求の範囲に記載された発明の技術思想の範囲で様々な変形が可能である。例えば、以下のように当業者が適宜、設計変更をすることが可能である。
【００３２】
（１）上記実施の形態例では、第１ヒンジ機構において、機枠上端側フランジ２１に第１穴軸受け２１ａが、本体枠上端側フランジ２２に第１軸部材２２ａがそれぞれ設けられているが、これとは逆に、機枠上端側フランジ２１に第１軸部材を、本体枠上端側フランジ２２に第１穴軸受けを設けても良い。
これら軸部材と穴軸受けとの位置関係は相対的であり、第２ヒンジ機構および第３ヒンジ機構においても同様とすることができる。
【００３３】
（２）上記実施の形態例では、固定化手段３０を掛けがね３１等により構成したが、幕板２０を本体枠２あるいは機枠１と選択的に固定できる手段であれば、閂手段などの各種の固定化手段が使用可能である。
【００３４】
（３）上記実施の形態例における第３ヒンジ機構における嵌合穴２５ｂと軸先部２６ｂの形状や設定角度については、本体枠２が幕板２０と所定角度の開扉状態となった時点で該第３ヒンジ機構が分離できるように形成すればよく、略９０度以上に開扉された状態で分離されるように形成することもできる。
【符号の説明】
【００３５】
１    機枠
２    本体枠
３    遊技盤
４    ガラス扉（前面扉）
２０  幕板
２０ａ  音響機器
２０ｂ  電気配線
２１  機枠上端側フランジ
２１ａ  第１穴軸受け
２１ｂ  スライド溝
２１ｃ  開放レバー
２２  本体枠上端側フランジ
２２ａ  第１軸部材
２３  機枠下端側フランジ
２４  幕板下端側フランジ
２５  幕板上端側フランジ
２５ａ  第３穴軸受け
２５ｂ  嵌合穴
２６  本体枠下端側フランジ
２６ａ  第３軸部材
２６ｂ  軸先部
３０  固定化手段
３１  掛けがね
３１ａ  引っかけ部
３２  機枠側係合ピン（機枠側係合部材）
３３  本体枠側係合ピン（本体側係合部材）
Ｐ  パチンコ機
【図１】
0005767515.tif 000002
【図２】
0005767515.tif 000003
【図３】
0005767515.tif 000004
【図４】
0005767515.tif 000005
【図５】
0005767515.tif 000006
【図６】
0005767515.tif 000007
【図７】
0005767515.tif 000008
【図８】
0005767515.tif 000009
【図９】
0005767515.tif 000010
【図１０】
0005767515.tif 000011
【図１１】
0005767515.tif 000012
【図１２】
0005767515.tif 000013
【図１３】
0005767515.tif 000014
【図１４】
0005767515.tif 000015
【図１５】
0005767515.tif 000016
【図１６】
0005767515.tif 000017
【図１７】
0005767515.tif 000018